(57)【要約】      （修正有）【課題】精密な階調表示が可能で、コントラストが大きく改善されるプラズマディスプレイパネルの駆動方法を提供する。【解決手段】リセット期間、アドレス期間、及び維持放電期間から形成されたサブフィールドの組合せで階調が表現されるＰＤＰの駆動方法であり、各サブフィールドは、リセット期間で、第１電極にリセット開始電圧から上昇ランプ波形のパルスが印加された後、リセット開始電圧から下降ランプ波形のパルスが印加され、アドレス期間で、アドレス電極にアドレスデータが印加され、第１電極に順次にスキャンハイ電圧からスキャンロー電圧のスキャンパルスが印加されて、アドレス放電が発生して放電セルが選択され、維持放電期間で、第１電極と第２電極に維持電圧を有するパルスが交互に印加され、選択された放電セルで維持放電が発生し、第１サブフィールドのリセット開始電圧は、第２サブフィールドのリセット開始電圧よりも低く印加される。【選択図】図５
2006047994.tif 000002
【特許請求の範囲】
【請求項１】
アドレス電極と、前記アドレス電極に交差する第１電極及び第２電極を備えるプラズマディスプレイパネルに対し、リセット期間、アドレス期間、及び維持放電期間から形成されたサブフィールドの組合せで階調を表現するプラズマディスプレイパネルの駆動方法において、
前記各サブフィールドは、
前記リセット期間で、前記第１電極に、リセット開始電圧から上昇ランプ波形のパルスが印加された後、前記リセット開始電圧から下降ランプ波形のパルスが印加され、
前記アドレス期間で、前記アドレス電極にアドレスデータが印加され、前記第１電極に順次にスキャンハイ電圧からスキャンロー電圧のスキャンパルスが印加されて、アドレス放電が発生して放電セルが選択され、
前記維持放電期間で、前記第１電極と第２電極とに維持電圧を有するパルスが交互に印加されて、前記選択された放電セルで維持放電が発生し、
第１サブフィールドのリセット開始電圧は、第２サブフィールドのリセット開始電圧よりも低く印加されることを特徴とするプラズマディスプレイパネルの駆動方法。
【請求項２】
前記第２サブフィールドのリセット開始電圧は、前記維持電圧と同一であることを特徴とする請求項１に記載のプラズマディスプレイパネルの駆動方法。
【請求項３】
前記第１サブフィールドのリセット開始電圧は、前記スキャンハイ電圧と同一であることを特徴とする請求項２に記載のプラズマディスプレイパネルの駆動方法。
【請求項４】
単位放電セルで、前記第１サブフィールドのリセット放電時に放出されるリセット光は、前記第２サブフィールドのリセット放電時に放出されるリセット光より小さいことを特徴とする請求項３に記載のプラズマディスプレイパネルの駆動方法。
【請求項５】
単位放電セルで、前記維持放電時に放出される維持光の最小単位が４単位である時、前記アドレス放電時に放出されるアドレス光は２単位であり、
前記第２サブフィールドのリセット放電時に放出されるリセット光は４単位であり、
前記第１サブフィールドのリセット放電時に放出されるリセット光は、前記４単位より小さいことを特徴とする請求項４に記載のプラズマディスプレイパネルの駆動方法。
【請求項６】
前記第１サブフィールドのリセット放電時に放出されるリセット光は２単位であることを特徴とする請求項５に記載のプラズマディスプレイパネルの駆動方法。
【請求項７】
単位フレームの画面は、前記第１サブフィールドと前記第２サブフィールドとの組合せから形成され、
前記単位フレームごとに放出される光の輝度は、前記第１サブフィールドのリセット光と第２サブフィールドのリセット光との組合せと、前記アドレス光及び前記維持光の選択的な組合せから形成されることを特徴とする請求項６に記載のプラズマディスプレイパネルの駆動方法。
【請求項８】
前記第１サブフィールド及び前記第２サブフィールドで、前記リセット開始電圧から印加される前記上昇ランプパルス及び前記下降ランプパルスは、強放電が発生しない傾斜を有することを特徴とする請求項１に記載のプラズマディスプレイパネルの駆動方法。
【請求項９】
請求項３に記載のプラズマディスプレイパネルの駆動方法をコンピュータで実行させるためのプログラムを記録した記録媒体。
【請求項１０】
プラズマディスプレイパネルの第１電極（Ｃｐの第１端）に接続されたメインスイッチと、
前記メインスイッチの一端に接続され、第１、第２、第３及び第４電源をスイッチングする第１、第２、第３及び第４スイッチと、
第５電源と、前記メインスイッチの一端と前記第５電源との間に接続された第１キャパシタと、前記メインスイッチの他端と前記第５電源との間に接続された第５スイッチと、
前記メインスイッチの一端に接続され、第６電源をスイッチングする第６スイッチを備え、
リセット期間で、前記第５スイッチがオンになる時、前記第１スイッチまたは前記第３スイッチとのうち、何れか一つがオンになり、他の一つはオフになり、その他の前記第２、第４及び第６スイッチはオフになり、
アドレス期間で、前記第１スイッチがオンを維持する途中に、アドレッシングされる時のみに前記第１スイッチはオフになり、前記第２スイッチがオンになり、
維持放電期間で、前記第３スイッチと前記第４スイッチとが交互にオン、オフされることを特徴とするプラズマディスプレイパネルの駆動装置。
【請求項１１】
前記第３電源の電圧は、前記第１電源の電圧よりも低いことを特徴とする請求項１０に記載のプラズマディスプレイパネルの駆動装置。
【請求項１２】
前記第１電源の電圧は、前記維持電圧と同一であることを特徴とする請求項１１に記載のプラズマディスプレイパネルの駆動装置。
【請求項１３】
前記第３電源の電圧は、前記スキャンハイ電圧と同一であることを特徴とする請求項１１に記載のプラズマディスプレイパネルの駆動装置。
【発明の詳細な説明】
【技術分野】
【０００１】
本発明は、プラズマディスプレイパネル（Plasma Display Pannel：以下、「ＰＤＰ」という）のようにカラー蛍光体が塗布された表示セルを形成する電極構造に放電用パルスを印加することで画面を表示するＰＤＰの駆動方法に係り、更に詳細には、複数のサブフィールドのリセット期間、アドレス期間及び維持放電期間でそれぞれ放出される光量の組合せによって、より多様な階調表示が可能なＰＤＰの駆動方法及びこの駆動方法のプログラムを記録した記録媒体に関する。
【背景技術】
【０００２】
図１は、ＰＤＰの電極配置を簡略に示す平面図である。図１を参照すれば、走査電極ライン（第１電極）Ｙ1，Ｙ2，・・・Ｙnと、共通電極ライン（第２電極）Ｘ1，Ｘ2，・・・ＸnとがＰＤＰの水平方向に平行に配置されており（それらを維持電極ラインと称する）、前記走査電極ラインＹ1，Ｙ2，・・・Ｙn及び共通電極ラインＸ1，Ｘ2，・・・Ｘnに交差して配置されるアドレス電極ラインＡ1，Ａ2，・・・Ａmが設けられている。走査電極ライン、維持電極ライン及びアドレス電極ラインＡ1，Ａ2，・・・Ａmが交差する部分で、隔壁により放電セルＣｅが区画され、前記放電セルＣｅは、ＰＤＰの一画素として役割を果たす。放電セルＣｅの空間内にはＲ、Ｇ、Ｂ蛍光体とプラズマ形成用のガスとが存在し、前記走査電極、共通電極及びアドレス電極のそれぞれに印加される電圧により、放電セルＣｅの内部に壁電荷が生成される。前記壁電荷によりプラズマ形成用のガスからプラズマが形成され、このプラズマからの紫外線放射によって前記放電セルＣｅの蛍光体が励起されて光が発生する。
【０００３】
以下では、走査電極ラインＹ1，Ｙ2，・・・ＹnをＹ電極ラインと称し、共通電極ラインＸ1，Ｘ2，・・・ＸnをＸ電極ラインと称する。
【０００４】
一方、特許文献１には、ＰＤＰの駆動方法として主に使用されるアドレス−ディスプレイ分離駆動方法が開示されている。図２は、ＰＤＰのＹ電極ラインについての通常的なアドレス−ディスプレイ分離駆動方法を示す。
【０００５】
図面を参照すれば、単位フレームは、時分割階調表示を実現するために所定個数、例えば、８個のサブフィールドＳＦ1，・・・，ＳＦ8に分割される。また、各サブフィールドＳＦ1，・・・，ＳＦ8は、リセット期間（図示せず）と、アドレス期間Ａ1，・・・，Ａ8及び、維持放電期間Ｓ1，・・・，Ｓ8に分割される。
【０００６】
各アドレス期間Ａ1，・・・，Ａ8では、アドレス電極ラインに表示データ信号が印加されると同時に、各Ｙ電極ラインＹ1，・・・，Ｙnに相応する走査パルスが順次に印加される。
【０００７】
各維持放電期間Ｓ1，・・・，Ｓ8では、Ｙ電極ラインＹ1，・・・，ＹnとＸ電極ラインＸ1，・・・，Ｘnとにディスプレイ放電用のパルスが交互に印加されて、アドレス期間Ａ1，・・・，Ａ8で壁電荷が形成された放電セルで表示放電を発生させる。
【０００８】
ＰＤＰの輝度は、単位フレームで占める維持放電期間Ｓ1，・・・，Ｓ8内の維持放電パルスの個数に比例する。１画像を形成する一つのフレームが、８個のサブフィールドと２５６階調とで表現される場合に、各サブフィールドには順次に１、２、４、８、１６、３２、６４、１２８の割合で相異なる維持パルスの数が割り当てられる。もし、１３３階調の輝度を得るには、サブフィールドＳＦ1期間、サブフィールドＳＦ3期間及びサブフィールドＳＦ8期間にセルをアドレッシングして維持放電すればよい。
【０００９】
各サブフィールドに割り当てられる維持放電数は、ＡＰＣ（Automatic power control）ステップによるサブフィールドの加重値によって可変的に決定される。また、各サブフィールドに割り当てられる維持放電数は、ガンマ特性やパネル特性を考慮して多様に変形することが可能である。例えば、サブフィールドＳＦ4に割り当てられた階調度を８から６に下げ、サブフィールドＳＦ6に割り当てられた階調度を３２から３４に上げることができる。また、１フレームを形成するサブフィールドの数も設計仕様によって多様に変形することが可能である。
【００１０】
図３は、ＰＤＰの駆動信号の一例を説明するためのタイミング図であって、ＡＣ（交流）ＰＤＰのＡＤＳ駆動方式で１サブフィールドＳＦ内にアドレス電極Ａ、共通電極Ｘ及び走査電極Ｙ1〜Ｙnに印加される駆動信号を示す。図３を参照すれば、一つのサブフィールドＳＦは、リセット期間ＰＲ、アドレス期間ＰＡ及び維持放電期間ＰＳを備える。
【００１１】
リセット期間ＰＲは、あらゆるグループの走査ラインについてリセットパルスを印加して、強制的に書き込み放電を行うことで全体セルの壁電荷状態を初期化する。アドレス期間ＰＡに入る前にリセット期間ＰＲが行われ、それは、全画面にかけて行うため、非常に均一で且つ所望の分布の壁電荷配置を形成できる。リセット期間ＰＲにより初期化されたセルは、セル内部の壁電荷条件が何れも同様に形成される。
【００１２】
リセット期間ＰＲが行われた後にアドレス期間ＰＡが行われる。その時、アドレス期間ＰＡには、共通電極Ｘにバイアス電圧Ｖｅが印加され、表示されるべきセル位置で走査電極Ｙ1〜Ｙnと、アドレス電極Ａ1〜Ａmとを同時にターンオンさせることで表示セルを選択する。前記アドレス期間ＰＡでは、走査電極Ｙ1〜Ｙnに負極性走査パルスが印加され、アドレス電極Ａ1〜Ａmにはアドレスデータ電圧Ｖａが印加されることにより、アドレス放電が発生する。
【００１３】
アドレス期間ＰＡが行われた後に、共通電極Ｘと走査電極Ｙ1〜Ｙnとに維持パルスＶSを交互に印加して、維持放電期間ＰＳが行われる。アドレス放電により形成された壁電荷分布（走査電極の近くに多量の負電荷が蓄積されること）によって表示セルが選択されて、維持放電が発生する。維持放電時に走査電極と共通電極との間の放電によって形成された紫外線放射により、アドレス電極上に塗布された蛍光体が励起されて光が放出される。維持放電期間ＰＳ中に、アドレス電極Ａ1〜Ａmにはローレベルの電圧ＶGが印加される。ＰＤＰで輝度は、維持放電パルス数によって調整される。一つのサブフィールドまたは一つのＴＶフィールドでの維持放電パルス数が多ければ、輝度が増加する。
【００１４】
例えば、図３のタイミング図によって駆動されるＰＤＰの光量を調べれば、リセット光が０.４［Ｃｄ／ｍ２］、アドレス光が０.２［Ｃｄ／ｍ２］、維持放電が発生しうる最小維持パルスによる維持光が０.４［Ｃｄ／ｍ２］である。それにより、各サブフィールドごとに各発光セルから放出される光量は、０.４［Ｃｄ／ｍ２］のリセット光が必ず発生し、０.２［Ｃｄ／ｍ２］のアドレス光が選択的に発生し、前記アドレス光が発生した場合に、０.４Ｋ×２ｍ−１［Ｃｄ／ｍ２］の維持光が発生する。そのような従来技術の単位サブフィールドで階調を表現できる放出光量または輝度を式で表現すれば、次の（１）式に示す通りである。
【００１５】
Ｆ（graylevel）＝Ｆ１（ｎ）＋Ｆ２（ｎ）＋Ｆ３（ｎ）
Ｆ１（ｎ）＝０.４［Ｃｄ／ｍ２］
Ｆ２（ｎ）＝０.２Ａ［Ｃｄ／ｍ２］、Ａは、０または１を選択
Ｆ３（ｎ）＝０.４Ｋ×２ｍ−１［Ｃｄ／ｍ２］、Ｋ及びｍは、サブフィールドによる重み付け計数                                           ・・・（１）
通常的には、８個以上の単位サブフィールドが集まって一つのフレームを形成し、それにより、単位フレーム（１Frame）ではそれぞれの単位サブフィールドから放出される光量または輝度の和により、ユーザーの目で感じられる実際の輝度が再現される。
【００１６】
例えば、図２のように、単位フレームが８個のサブフィールドからなる場合に、単位フレームでは、８×０.４［Ｃｄ／ｍ２］のリセット光が必ず放出され、階調レベルによってＦ２（ｎ）とＦ３（ｎ）とのアドレス及び維持光が選択的に放出される。
【００１７】
ところが、前記従来技術による駆動方法では、Ｆ１（ｎ）が選択的な要素ではなく必須要素であるため、Ｆ２（ｎ）とＦ３（ｎ）とのアドレス及び維持光のみによって階調が表現されるため、階調表現力が多様ではないという問題点があった。
【００１８】
また、表示される画面のコントラスト（明暗比）は、ブラック光が暗いほど大きな効果を発揮できるため好ましいが、前記従来技術による駆動方法では。必ず放出されてしまうリセット光により、単位フレームごとに最小８×０.４［Ｃｄ／ｍ２］のリセット光が必ず放出されてしまうため、ブラック光が明るくて、コントラストに悪影響を与えるという問題点があった。
【特許文献１】米国特許第５,５４１,６１８号明細書
【発明の開示】
【発明が解決しようとする課題】
【００１９】
本発明が達成しようとする技術的課題は、従来技術及びその他の多様な問題点を解決するものであって、本発明の目的は、ＰＤＰの階調表示が更に多様で且つ細密に表現可能なＰＤＰの駆動方法、装置及び記録媒体を提供することにある。
【００２０】
本発明の他の目的は、低階調で効果的に細密に表現可能なＰＤＰの駆動方法、装置及び記録媒体を提供することにある。
【００２１】
本発明の更に他の目的は、ブラック光を画期的に減少させることでコントラストを向上させることが可能なＰＤＰの駆動方法、装置及び記録媒体を提供することにある。
【課題を解決するための手段】
【００２２】
上記の目的を達成するために、本発明は、アドレス電極と、前記アドレス電極に交差する第１電極及び第２電極を備えるＰＤＰに対し、リセット期間、アドレス期間、及び維持放電期間から形成されたサブフィールドの組合せで階調が表現されるＰＤＰの駆動方法において、前記各サブフィールドは、前記リセット期間で、前記第１電極に、リセット開始電圧から上昇ランプ波形のパルスが印加された後、前記リセット開始電圧から下降ランプ波形のパルスが印加され、前記アドレス期間で、前記アドレス電極にアドレスデータが印加され、前記第１電極に順次にスキャンハイ電圧からスキャンロー電圧のスキャンパルスが印加されて、アドレス放電が発生して放電セルが選択され、前記維持放電期間で、前記第１電極と第２電極とに維持電圧を有するパルスが交互に印加されて、前記選択された放電セルで維持放電が発生し、第１サブフィールドのリセット開始電圧は、第２サブフィールドのリセット開始電圧よりも低く印加されるＰＤＰの駆動方法を提供する。
【００２３】
本発明に係るＰＤＰの駆動方法で、前記第２サブフィールドのリセット開始電圧は前記維持電圧と同じであり、前記第１サブフィールドのリセット開始電圧は、前記スキャンハイ電圧と同じであることが好ましい。その場合、単位放電セルで、前記第１サブフィールドのリセット放電時に放出されるリセット光は、前記第２サブフィールドのリセット放電時に放出されるリセット光より小さくなる。
【００２４】
例えば、単位放電セルで、前記維持放電時に放出される維持光の最小単位が４単位である時、前記アドレス放電時に放出されるアドレス光は２単位であり、前記第２サブフィールドのリセット放電時に放出されるリセット光は４単位であり、前記第１サブフィールドのリセット放電時に放出されるリセット光は前記４単位より小さい。特に、前記第１サブフィールドのリセット放電時に放出されるリセット光は２単位でありうる。
【００２５】
そして、単位フレームの画面は、前記第１サブフィールドと前記第２サブフィールドとの組合せからなり、前記単位フレームごとに放出される光の輝度は、前記第１サブフィールドのリセット光と第２サブフィールドのリセット光との組合せと、前記アドレス光及び前記維持光の選択的な組合せから形成されうる。
【００２６】
一方、前記方法は、コンピュータで実行させるためのプログラムを記録した記録媒体によって、コンピュータを通じて実現されうる。
【００２７】
一方、前記目的を達成するために本発明は、ＰＤＰの第１電極（Ｃｐの第１端）に接続されたメインスイッチＭＭと、前記メインスイッチＭＭの一端に接続され、第１、第２、第３及び第４電源をスイッチングする第１、第２、第３及び第４スイッチと、第５電源と、前記メインスイッチＭＭの一端と前記第５電源との間に接続された第１キャパシタと、前記メインスイッチＭＭの他端と前記第５電源との間に接続された第５スイッチと、前記メインスイッチＭＭの一端に接続され、第６電源をスイッチングする第６スイッチと、を備え、リセット期間で、前記第５スイッチＭＭがオンになる時、前記第１スイッチと前記第３スイッチとのうち、何れか一つがオンになり、他の一つはオフになり、その他の前記第２、第４及び第６スイッチはオフになり、アドレス期間で、前記第１スイッチがオンを維持する途中に、アドレッシングされる時のみに前記第１スイッチはオフになり、前記第２スイッチがオンになり、維持放電期間で、前記第３スイッチと前記第４スイッチとが交互に点滅されるＰＤＰ駆動装置を提供する。
【００２８】
本発明に係るＰＤＰ駆動装置で、前記第３電源の電圧は前記第１電源の電圧よりも低いことが好ましい。
【００２９】
例えば、前記第１電源の電圧は前記維持電圧と同じであり、前記第３電源の電圧は前記スキャンハイ電圧と同じでありうる。
【発明の効果】
【００３０】
本発明のＰＤＰの駆動方法によれば、次のような効果がある。第一に、ＰＤＰのリセット光を選択的に決定できるため、アドレス光及び維持光との組合せによって階調表示を更に多様で且つ細密に表現できる。
【００３１】
第二に、従来技術による駆動方法では必ず放出されねばならないリセット光によって、単位フレームごとに最小８×０.４［Ｃｄ／ｍ２］のリセット光が必ず放出されねばならないため、コントラストが低下されたか、または本発明に係る駆動方法によれば、単位フレーム当たりリセット光が最小８×０.２［Ｃｄ／ｍ２］となるため、従来技術に比べて１／２倍までブラック光が減少するため、表示画面のコントラストを大きく改善できる。
【００３２】
第三に、リセット開始電圧のみを調節する簡単な方法を通じてリセット光の光量を容易に調節でき、複数のリセット光の小さな光量の差を通じて、低階調で効果的に細密に表現できるＰＤＰの駆動方法が提供される効果がある。
【発明を実施するための最良の形態】
【００３３】
以下、本発明の好ましい実施形態によるＰＤＰの駆動方法の構成及び動作を添付図面を参照して詳細に説明する。
【００３４】
本発明によるＰＤＰの駆動方法は、リセット期間、アドレス期間及び維持放電期間を含むサブフィールドにより階調が表現される駆動方法で、リセット期間の上昇ランプ開始電圧を多様に設定してリセット放電による発光輝度を下げることで更に多様な階調表示が可能であり、且つコントラストを向上させる。
【００３５】
図４は、ＰＤＰを示す斜視図である。
【００３６】
図面を参照して説明すれば、ＰＤＰの第１基板１００と第２基板１０６との間には、アドレス電極ラインＡ1、Ａ2・・・Ａmと、第１及び第２誘電体層１０２、１１０と、Ｙ電極ラインＹ1、Ｙ2・・・Ｙnと、Ｘ電極ラインＸ1、Ｘ2・・・Ｘnと、蛍光体層１１２と、隔壁１１４及び一酸化マグネシウム（ＭｇＯ）保護層１０４が設けられている。
【００３７】
アドレス電極ラインＡ1、Ａ2・・・Ａmは、第２基板１０６上に一定のパターンで形成される。第２誘電体層１１０は、アドレス電極ラインＡ1、Ａ2・・・Ａmを覆うように塗布される。第２誘電体層１１０上には、隔壁１１４がアドレス電極ラインＡ1、Ａ2・・・Ａmと平行な方向に形成される。この隔壁１１４は、各放電セルの放電領域を区画し、各放電セル間の光学的干渉を防止する機能を果たす。蛍光体層１１２は、隔壁１１４間でアドレス電極ラインＡ1、Ａ2・・・Ａm上の、第２誘電体層１１０上に塗布され、順次に赤色発光蛍光体層、緑色発光蛍光体層、及び青色発光蛍光体層が配置される。
【００３８】
Ｘ電極ラインＸ1、Ｘ2・・・ＸnとＹ電極ラインＹ1、Ｙ2・・・Ｙnとは、アドレス電極ラインＡ1、Ａ2・・・Ａmと直交するように第１基板１００上に一定のパターンで形成される。各交差点は、相応する放電セルを設定する。各Ｘ電極ラインＸ1、Ｘ2・・・Ｘnと各Ｙ電極ラインＹ1、Ｙ2・・・Ｙnとは、ＩＴＯ（Indium Tin Oxide）のような透明な導電性材質の透明電極Ｘna、Ｙnaと、導電性を向上させるための金属電極Ｘnb、Ｙnbとが結合されて形成される。第１誘電体層１０２は、Ｘ電極ラインＸ1、Ｘ2・・・Ｘnと、Ｙ電極ラインＹ1、Ｙ2・・・Ｙnとを覆うように全面に塗布されて形成される。強い電界からパネルを保護するための保護層１０４、例えば、一酸化マグネシウム（ＭｇＯ）層は、第１誘電体層１０２を覆うように全面に塗布されて形成される。放電空間１０８には、プラズマ形成用ガスが密封される。
【００３９】
ＰＤＰに一般的に適用される駆動方式は、リセット、アドレス及び維持放電ステップを単位サブフィールドで順次に行わせる方式である。リセットステップでは、駆動される放電セルの電荷状態が均一になる。アドレスステップでは、選択される放電セルの電荷状態と選択されない放電セルの電荷状態とが設定される。維持放電ステップでは、選択された放電セルで維持放電が行われる。その時、維持放電を行う放電セルのプラズマ形成用のガスからプラズマが形成され、そのプラズマからの紫外線放射によって前記放電セルの蛍光層が励起されて光が発生する。
【００４０】
本発明に係るＰＤＰの駆動方法は、前記構造のＰＤＰに限定されるものではなく、リセット期間を有するあらゆる駆動波形により駆動されるＰＤＰに適用することができる。
【００４１】
図５は、ＰＤＰの一般的な駆動装置を示すブロック図である。
【００４２】
図面を参照すれば、ＰＤＰの通常的な駆動装置は、映像処理部２００、論理制御部２０２、アドレス駆動部２０６、Ｘ駆動部２０８及びＹ駆動部２０４を含む。映像処理部２００は、外部アナログ映像信号をデジタル信号に変換して内部映像信号、例えば、それぞれ８ビットの赤色（Ｒ）、緑色（Ｇ）及び青色（Ｂ）映像データ、クロック信号、垂直及び水平同期信号を発生させる。論理制御部２０２は、映像処理部２００からの内部映像信号によって駆動制御信号ＳA、ＳY、ＳXを発生させる。アドレス駆動部２０６は、制御部２０２からの駆動制御信号ＳA、ＳY、ＳXのうち、アドレス信号ＳAを処理して表示データ信号を発生させ、発生した表示データ信号をアドレス電極ラインに印加する。Ｘ駆動部２０８は、制御部２０２からの駆動制御信号ＳA、ＳY、ＳXのうち、Ｘ駆動制御信号ＳXを処理してＸ電極ラインに印加する。Ｙ駆動部２０４は、制御部２０２からの駆動制御信号ＳA、ＳY、ＳXのうち、Ｙ駆動制御信号ＳYを処理してＹ電極ラインに印加する。
【００４３】
図６は、本発明の一実施形態に係るＰＤＰの駆動信号を説明するためのタイミング図である。
【００４４】
図６を参照すれば、リセット期間ＰＲでは、あらゆるグループの走査ラインについてリセットパルスを印加して、強制的に書き込み放電を行うことで全体セルの壁電荷状態を初期化する。アドレス期間ＰＡに入る前にリセット期間ＰＲが設定され、それは、全画面にかけて行うため、非常に均一で且つ所望の分布の壁電荷配置を形成できる。リセット期間ＰＲにより初期化されたセルは、セル内部の壁電荷条件が何れも同様に形成される。
【００４５】
本発明のリセット期間ＰＲでは、Ｙ電極ラインＹ1，Ｙ2，・・・，Ｙnに上昇ランプ波形のパルスｔ1〜ｔ2が印加されることによる第１初期化放電と、下降ランプ波形のパルスｔ2〜ｔ3が印加されることによる第２初期化放電とを経る。第１初期化放電は、Ｙ電極ラインＹ1，Ｙ2，・・・，Ｙnに緩い傾斜を有する上昇ランプパルスｔ1〜ｔ2が印加されつつ、弱放電が発生すると同時にＹ電極の近く（すなわち、Ｙ電極上の誘電体層）に多量の負極性電荷が蓄積される現象をいう。第１初期化放電にかかる時間ｔ1〜ｔ2を短縮させるために、上昇ランプパルスは所定のリセット開始電圧の第１電圧ＶSから印加されうる。以後に、上昇ランプパルスは、最も高い電位であるＶSET＋ＶSまで上昇する。
【００４６】
そして、第２初期化放電では、Ｙ電極ラインＹ1，Ｙ2，・・・，Ｙnに下降ランプ波形のパルスが印加されつつ、Ｙ電極の近く（すなわち、Ｙ電極上の誘電体層）に蓄積されていた負電荷の一部が放出されつつ弱放電が発生する。第２初期化放電によってＹ電極の近くには、一括的にアドレス放電の発生に適した量の負電荷が残留する。その時、Ｙ電極ラインＹ1，Ｙ2，・・・，Ｙnに印加される下降ランプパルスは、強放電が発生しない程度の緩い傾斜を有する必要がある。下降ランプパルスは、第２初期化放電期間ｔ2〜ｔ3を短縮させるために、前記最も高い電位であるＶSET＋ＶSから所定のリセット開始電圧である第１電圧ＶSまで電圧を下降させた後に印加されることが好ましい。
【００４７】
リセット期間ＰＲが行われた後にアドレス期間ＰＡが行われる。その時、アドレス期間ＰＡには、アドレス電極ラインＡ1，Ａ2，・・・，Ａmにアドレスデータが印加されると同時に、Ｙ電極ラインＹ1，Ｙ2，・・・，Ｙnには順次にスキャンハイ電圧ＶSC-Hでスキャンロー電圧ＶSC-Lのスキャンパルスが印加される。すなわち、表示されるべきセル位置でＹ電極ラインＹ1，Ｙ2，・・・，Ｙnとアドレス電極ラインＡ1，Ａ2，・・・，Ａmとを同時にターンオンさせることでアドレス放電が発生して、表示セルが選択される。アドレス期間ＰＡでアドレス放電は、表示データ信号の電圧Ｖａとアドレス電極の近くに蓄積された正電荷による電位とで、Ｙ電極に加えられる走査パルスのスキャンローレベル電圧ＶSC-L及びＹ電極の近くに蓄積されていた負電荷による電位を除いたエネルギー（すなわち、あらゆる電位の絶対値の和）によって発生する。
【００４８】
アドレス期間ＰＡが行われた後に、Ｘ電極ラインＸ1，Ｘ2，・・・，ＸnとＹ電極ラインＹ1，Ｙ2，・・・，Ｙnとに維持パルスＶSを交互に印加して、維持放電期間ＰＳが行われる。維持放電期間ＰＳ中に、アドレス電極Ａ1，Ａ2，・・・，Ａmにはローレベル（接地電位）の電圧ＶGが印加される。ＰＤＰで輝度は、維持放電パルス数によって調整される。一つのサブフィールドまたは一つのＴＶフィールドでの維持放電パルス数が多ければ、輝度が増加する。
【００４９】
維持放電期間ＰＳでの動作を説明すれば、次の通りである。
【００５０】
維持放電期間ＰＳで最初の維持パルスが印加される時点では、アドレス期間で蓄積された正電荷がＹ電極ラインに蓄積されており、Ｘ電極ラインには負電荷が蓄積されている。Ｙ電極ラインに維持電圧ＶSが印加されれば、Ｙ電極ラインでは正電荷が、Ｘ電極ラインでは負電荷が空間電荷に放出されて、１次維持放電が行われる。そのような１次維持放電は、Ｙ電極ラインの近くに蓄積されていた正電荷とＶS電圧との和と、Ｘ電極ラインの近くに蓄積されている負電荷の差（すなわち、あらゆる電位値の絶対値の和）が放電開始電圧を超えて行われる。１次維持放電が発生すれば、Ｙ電極ラインの近くに負電荷が蓄積され、Ｘ電極ラインの近くに正電荷が蓄積される。
【００５１】
１次維持放電が行われた後に、Ｘ電極ラインＸ1〜Ｘnに維持電圧ＶSが印加されれば、Ｘ電極ラインでは正電荷が空間電荷として放出され始め、Ｙ電極ラインでは負電荷が空間電荷として排出されて２次維持放電が行われる。そのような２次維持放電は、Ｘ電極ラインＸ1〜Ｘnに印加されるＶS電圧と、Ｘ電極の近くに蓄積されていた正電荷とによる電位から、走査電極ラインの近くに蓄積されていた負電荷の電位を除いた値（すなわち、あらゆる電位値の絶対値の和）が放電開始電圧を超えて行われる。１次維持放電が行われれば、Ｙ電極ラインの近くに再び１次維持放電直前の状態のように正電荷が蓄積され、Ｘ電極ラインの近くに負電荷が蓄積される。その以後に、再び１次維持放電と同じ作用によって３次維持放電が発生し、その以後に再び２次維持放電と同じ作用によって４次維持放電が発生する。サブフィールド別に定められた時間に交互の維持パルスが持続されて、そのような維持放電が持続される。
【００５２】
本発明に係るＰＤＰの駆動方法では、各サブフィールドでのリセット開始電圧を異なって印加することで階調表現力を拡張させ、画面のコントラストを改善する。例えば、第１サブフィールドＳＦnのリセット開始電圧は、第２サブフィールドＳＦn+1のリセット開始電圧よりも低く印加されうる。その場合、単位放電セルで、前記第１サブフィールドＳＦnのリセット放電時に放出されるリセット光は、前記第２サブフィールドＳＦn+1のリセット放電時に放出されるリセット光より小さい。それについては後述する。
【００５３】
例えば、図６では、ｔ1及びｔ2で第１サブフィールドのリセット開始電圧はＶSC-Hであるが、ｔ6及びｔ7で第２サブフィールドのリセット開始電圧はＶSである。
【００５４】
図７は、第１サブフィールドＳＦnでリセット開始電圧ＶSC-Hから上昇ランプパルスが印加され、リセット開始電圧ＶSC-Hから下降ランプパルスが印加されることを示す波形図であり、図８は、第２サブフィールドＳＦn+1でリセット開始電圧ＶSから上昇ランプパルスが印加され、リセット開始電圧ＶSから下降ランプパルスが印加されることを示す波形図である。第１サブフィールドＳＦn及び第２サブフィールドＳＦn+1で、リセット開始電圧ＶSC-H、ＶSで印加される上昇ランプパルス及び下降ランプパルスは、強放電が発生しない傾斜をとしなければならない。
【００５５】
一実施形態において、図６及び図７のタイミング図によって駆動されるＰＤＰの光量を調べれば、第１サブフィールドＳＦnでリセット開始電圧がＶSC-Hである時、第１サブフィールドＳＦnのリセット光が０.２［Ｃｄ／ｍ２］、アドレス光が０.２［Ｃｄ／ｍ２］、維持放電が発生し得る最小維持パルスによる維持光が０.４［Ｃｄ／ｍ２］である。
【００５６】
それにより、各サブフィールドごとに各放電セルから放出される光量は、０.２［Ｃｄ／ｍ２］のリセット光が必ず発生し、０.２［Ｃｄ／ｍ２］のアドレス光が選択的に発生し、前記アドレス光が発生した場合に０.４Ｋ×２ｍ−１［Ｃｄ／ｍ２］の維持光が発生する。
【００５７】
また、図６及び図８のタイミング図によって駆動されるＰＤＰの光量を調べれば、第２サブフィールドＳＦn+1でリセット開始電圧がＶSである時、第２サブフィールドＳＦn+1のリセット光が０.４［Ｃｄ／ｍ２］、アドレス光が０.２［Ｃｄ／ｍ２］、維持放電が発生しうる最小維持パルスによる維持光が０.４［Ｃｄ／ｍ２］である。
【００５８】
それにより、各サブフィールドごとに各放電セルから放出される光量は、０.４［Ｃｄ／ｍ２］のリセット光が必ず発生し、０.４［Ｃｄ／ｍ２］のアドレス光が選択的に発生し、前記アドレス光が発生した場合に０.４Ｋ×２ｍ−１［Ｃｄ／ｍ２］の維持光が発生する。
【００５９】
そのような前記単位サブフィールドで階調を表現できる放出光量または輝度を式で表現すれば、次の通りである。
【００６０】
Ｆ’（graylevel）＝Ｆａ（ｎ）＋Ｆ２（ｎ）＋Ｆ３（ｎ）
Ｆａ（ｎ）＝０.２×（Ｒ＋１）［Ｃｄ／ｍ２］、Ｒは、０または１を選択
Ｆ２（ｎ）＝０.２Ａ［Ｃｄ／ｍ２］、Ａは、０または１を選択
Ｆ３（ｎ）＝０.４Ｋ×２ｍ−１［Ｃｄ／ｍ２］、Ｋ及びｍは、サブフィールドによる重み付け係数                                                     ・・・（２）
通常的には、８個以上の単位サブフィールドが集まって一つのフレームをなし、それにより、単位フレーム（１Frame）では、それぞれの単位サブフィールドから放出される光量または輝度の和により、ユーザーの目で感じられる実際の輝度が再現される。
【００６１】
例えば、図２のように、単位フレームが８個のサブフィールドから形成されている場合に、単位フレームでは、８×０.２［Ｃｄ／ｍ２］、または８×０.４［Ｃｄ／ｍ２］のリセット光が選択的に放出され、階調レベルによってＦ２（ｎ）とＦ３（ｎ）とのアドレス及び維持光が選択的に放出される。
【００６２】
したがって、本発明に係るＰＤＰの駆動方法では、従来技術による駆動方法と違って、Ｆ２（ｎ）とＦ３（ｎ）とのアドレス及び維持光だけでなく、必須要素であるＦａ（ｎ）によっても階調が表現されるため、階調表現力が拡大される。すなわち、単位サブフィールドで、従来技術の（１）式では輝度の第１項であるＦ１（ｎ）が０.４［Ｃｄ／ｍ２］と固定された定数関数であったが、本発明に係るパネル駆動方法では、輝度の第１項であるＦａ（ｎ）が０.２×（Ｒ＋１）［Ｃｄ／ｍ２］（Ｒは、０または１を選択）の選択的な関数である。したがって、８個のサブフィールドが１個のフレームを形成する場合、従来技術では、８個のＦ２（ｎ）＋Ｆ３（ｎ）の組合せのみによって階調を表現できたが、本発明のパネル駆動方法では、Ｆａ（ｎ）によって１個のフレーム内で８つのリセット光を選択できるため、階調表現力が拡大される。
【００６３】
例えば、低いリセット開始電圧ＶSC-Hを有する第１サブフィールドが８個であり、高いリセット開始電圧ＶSを有する第２サブフィールドが０個である単位フレームでは、リセット光が２×８＋４×０＝１６［Ｃｄ／ｍ２］、第１サブフィールドが７個であり、第２サブフィールドが１個である単位フレームでは、リセット光が２×７＋４×１＝１８［Ｃｄ／ｍ２］、第１サブフィールドが６個であり、第２サブフィールドが２個である単位フレームでは、リセット光が２×６＋４×２＝２０［Ｃｄ／ｍ２］、第１サブフィールドが５個であり、第２サブフィールドが３個である単位フレームでは、リセット光が２×５＋４×３＝２２［Ｃｄ／ｍ２］、第１サブフィールドが４個であり、第２サブフィールドが４個である単位フレームでは、リセット光が２×４＋４×４＝２４［Ｃｄ／ｍ２］、第１サブフィールドが３個であり、第２サブフィールドが５個である単位フレームでは、リセット光が２×３＋４×５＝２６［Ｃｄ／ｍ２］、第１サブフィールドが２個であり、第２サブフィールドが６個である単位フレームでは、リセット光が２×２＋４×６＝２８［Ｃｄ／ｍ２］、第１サブフィールドが１個であり、第２サブフィールドが７個である単位フレームでは、リセット光が２×１＋４×７＝３０［Ｃｄ／ｍ２］、第１サブフィールドが０個であり、第２サブフィールドが８個である単位フレームでは、リセット光が２×０＋４×８＝３２［Ｃｄ／ｍ２］である。
【００６４】
それにより、本発明に係るパネル駆動方法では、リセット光を選択的に決定できるため、アドレス光及び維持光との組合せによって、階調表現力が８倍ほど更に拡張される効果がある。
【００６５】
また、表示される画面のコントラスト（明暗比）はＭブラック光が暗いほど大きな効果を発揮できるため好ましい。前記従来技術による駆動方法では、必ず放出されねばならないリセット光により、単位フレームごとに最小８×０.４［Ｃｄ／ｍ２］のリセット光が必ず放出されねばならないため、ブラック光が明るくてコントラストに悪影響を与えるという問題点があった。本発明に係るパネル駆動方法では、単位フレーム当たりリセット光が最小８×０.２［Ｃｄ／ｍ２］となるため、従来技術に比べて１／２倍までブラック光が減少して、それは表示画面のコントラストが最大２倍以上に増加するということを意味する。
【００６６】
一方、前記した本発明によるＰＤＰの駆動方法は、コンピュータによる読み取り可能な記録媒体にコンピュータ可読コードとして実現することが可能である。コンピュータによる読み取り可能な記録媒体は、コンピュータシステムによって読み取られ得るプログラムやデータが保存されるあらゆる記録装置を含む。コンピュータ可読記録媒体の例としては、ＲＯＭ、ＲＡＭ、ＣＤ−ＲＯＭ、磁気テープ、ハードディスク、フレキシブルディスク、フラッシュメモリ、光データ保存装置などがある。
【００６７】
ここで、記録媒体に保存されるプログラムとは、特定の結果を得るために、コンピュータなどの情報処理能力を有する装置内で直接または間接的に使用される一連の指示命令で表現されたものを言う。したがって、コンピュータという用語も、実際に使用される名称であることにもかかわらず、メモリ、入出力装置、演算装置を備えて、プログラムによって特定の機能を行うための情報処理能力を有するあらゆる装置を総括する意味として使用される。パネルを駆動する装置の場合にも、その用途がパネル駆動という特定された分野に限定されたものであり、その実体は一種のコンピュータと言える。
【００６８】
特に、本発明によるディスプレイパネル駆動方法は、コンピュータ上でスキマティックまたは超高速集積回路ハードウェアの技術言語（ＶＨＤＬ）等によって作成され、コンピュータに連結されてプログラム可能な集積回路、例えば、ＦＰＧＡ（Field Programmable Gate Array）によって具現されうる。前記記録媒体は、そのようなプログラム可能な集積回路を含む。
【００６９】
図９は、本発明に係るＰＤＰの駆動方法が適用されうる駆動装置の一実施形態を示す回路図である。
【００７０】
図９の回路図において、キャパシタＣｐは、ＰＤＰのＹ電極ラインＹ1，Ｙ2，・・・，ＹnとＸ電極ラインＸ1，Ｘ2，・・・，Ｘnとの間に形成されるパネルキャパシタンスを示した記号である。パネルキャパシタＣｐの第１端にはＹ電極ラインＹ1，Ｙ2，・・・，Ｙnが接続され、パネルキャパシタＣｐの第２端にはＸ電極ラインＸ1，Ｘ2，・・・，Ｘn（Ｘ駆動部２０８）が接続される。本発明に係るＰＤＰの駆動方法（図６参照）で、リセット開始電圧はＹ電極ラインＹ1，Ｙ2，・・・，Ｙnに印加される電圧であるため、図９で、Ｙ電極ラインの駆動回路のみが図示され、Ｘ電極ラインＸ1，Ｘ2，・・・，Ｘnは接地電位に接続されたと仮定して説明する。
【００７１】
図９を参照すれば、パネルキャパシタＣｐの第１端にＹ電極ラインのメインスイッチＭＭの第２端が接続される。そして、第１電源ＶSをスイッチングする第１スイッチＭ１、第２電源ＶGをスイッチングする第２スイッチＭ２、第３電源ＶSC-Hをスイッチングする第３スイッチＭ３、第４電源ＶSC-Lをスイッチングする第４スイッチＭ４が前記メインスイッチＭＭの第１端に接続される。第３電源の電圧ＶSC-Hは、第１電源の電圧ＶSよりも低い。
【００７２】
なお、図９に示された電圧値ＶSC-H、ＶSC-L、ＶS、ＶG、ＶSET、Ｖnfは、理解の便宜のために示されたものであって、本発明の範囲が図９に示された電圧値に限定されるものではない。
【００７３】
第１スイッチＭ１と第２スイッチＭ２は、維持放電期間ＰＳでパネルキャパシタＣｐの第１端に第１電源の維持電圧ＶSと接地電圧ＶGとを交互に印加する役割を果たし、第３スイッチＭ３と第４スイッチＭ４は、アドレス期間ＰＡでパネルキャパシタＣｐの第１端に第３電源のスキャンハイ電圧ＶSC-Hと第４電源のスキャンロー電圧ＶSC-Lのうち、何れか一つを選択的に印加する役割を果たす。
【００７４】
そして、メインスイッチＭＭの第１端と第５電源ＶSETとの間に第１キャパシタＣ１が接続され、メインスイッチＭＭの第２端と第５電源ＶSETとの間に第５スイッチＭ５が接続される。また、メインスイッチＭＭの第１端には、第６電源Ｖnfをスイッチングする第６スイッチＭ６が接続される。第５スイッチＭ５と第６スイッチＭ６は、ゲートとソースとの間に接続されたキャパシタＣ２，Ｃ３の機能により、ソース・ドレーンの間に一定の電流が流れるため、ランプ波形の電圧を通過させる役割を果たす。
【００７５】
本発明の一実施形態において、図９の回路図を備える駆動装置の作用を図７及び図８を参照して説明する。
【００７６】
まず、第１サブフィールドＳＦnのリセット期間ＰＲでの駆動装置の作用を説明する。
【００７７】
図７及び図９を参照すれば、第１サブフィールドＳＦnのリセット期間ＰＲで、第２スイッチＭ２及びメインスイッチＭＭのみがオンになり、他のあらゆるスイッチはオフになることにより、パネルキャパシタＣｐの第１端には接地電位ＶGが印加される。次いで、リセットパルス開始時点ｔL1でメインスイッチＭＭがオンを維持し、第２スイッチＭ２がオフになると同時に第３スイッチＭ３がオンになることによって、パネルキャパシタＣｐの第１端には第３電源の電圧ＶSC-Hが印加される。
【００７８】
その後、上昇ランプ開始時点ｔL2でメインスイッチＭＭはオフになり、第５スイッチＭ５がオンになる。その時、第１キャパシタＣ１の第２端は、第５電源の電圧ＶSETがあらかじめ充電されており、第３スイッチＭ３がオンになっているため、パネルキャパシタＣｐの第１端には、第３電源の電圧ＶSC-Hから最上位電圧ＶSET＋ＶSC-Hまで上昇する上昇ランプ波形のパルスが印加されて、放電セルの内部では第一次初期化放電が発生し、Ｙ電極の近くには多量の負電荷が蓄積される。その時、上昇ランプ波形のパルスは強放電が発生せず、弱放電が持続的に発生しうる傾斜を有する。
【００７９】
最上位電圧ＶSET＋ＶSC-Hが所定時間維持した時点ｔL4で、第３スイッチＭ３がオンになった状態で第５スイッチＭ５がオフになり、メインスイッチＭＭがオンになることにより、パネルキャパシタＣｐの第１端には第３電源の電圧ＶSC-Hが印加される。
【００８０】
その後、下降ランプ開始時点ｔL5で、第３スイッチＭ３はオフになり、第６スイッチＭ６がオンになることによって、パネルキャパシタＣｐの第１端には第６電源の電圧Ｖnfまで下降する下降ランプパルスが印加される。それにより、放電セルの内部では第２次初期化放電が発生し、Ｙ電極の近くには若干の負電荷が放出されて、全てのＹ電極に蓄積される負電荷の量が均一化される。その時、下降ランプ波形のパルスｔL5〜ｔL6は、強放電が発生せず、弱放電が持続的に発生しうる傾斜を有する。
【００８１】
前記の駆動装置の作用によって具現される第１サブフィールドＳＦnでは、各放電セルで、第３電源から出力されるリセット開始電圧ＶSC-Hの印加によって０.２［Ｃｄ／ｍ２］のリセット光が必ず発生し、０.４［Ｃｄ／ｍ２］のアドレス光が選択的に発生し、前記アドレス光が発生した場合に０.４Ｋ×２ｍ−１［Ｃｄ／ｍ２］の維持光が発生する。
【００８２】
次いで、第２サブフィールドＳＦn+1のリセット期間ＰＲでの駆動装置の作用を説明する。
【００８３】
まず、図８及び図９を参照すれば、第２サブフィールドＳＦn+1のリセット期間ＰＲで、第２スイッチＭ２及びメインスイッチＭＭのみがオンになり、他のあらゆるスイッチはオフになることによって、パネルキャパシタＣｐの第１端には接地電位ＶGが印加される。次いで、リセットパルス開始時点ｔH1でメインスイッチＭＭがオンを維持し、第２スイッチＭ２がオフになると同時に第１スイッチＭ１がオンになることによって、パネルキャパシタＣｐの第１端には第１電源の電圧ＶSが印加される。
【００８４】
その後、上昇ランプ開始時点ｔH2でメインスイッチＭＭはオフになり、第５スイッチＭ５がオンになる。その時、第１キャパシタＣ１の第２端は、第５電源の電圧ＶSETがあらかじめ充電されており、第１スイッチＭ１がオンになっているため、パネルキャパシタＣｐの第１端には、第１電源の電圧ＶSから最上位電圧ＶSET＋ＶSまで上昇する上昇ランプ波形のパルスが印加されて、放電セルの内部では第一次初期化放電が発生し、Ｙ電極の近くには多量の負電荷が蓄積される。その時、上昇ランプ波形のパルスｔH2〜ｔH3は、強放電が発生せず、弱放電が持続的に発生しうる傾斜を有する。
【００８５】
最上位電圧ＶSET＋ＶSが所定時間維持した時点ｔH4で、第１スイッチＭ１がオンになった状態で第５スイッチＭ５がオフになり、メインスイッチＭＭがオンになることによって、パネルキャパシタＣｐの第１端には第１電源の電圧ＶSが印加される。
【００８６】
その後、下降ランプ開始時点ｔH5で、第１スイッチＭ１はオフになり、第６スイッチＭ６がオンになることによって、パネルキャパシタＣｐの第１端には第６電源の電圧Ｖnfまで下降する下降ランプパルスが印加される。それにより、放電セルの内部では第２次初期化放電が発生し、Ｙ電極の近くには若干の負電荷が放出されて全てのＹ電極に蓄積される負電荷の量が均一化される。その時、下降ランプ波形のパルスｔH5〜ｔH6は、強放電が発生せず、弱放電が持続的に発生しうる傾斜を有する。
【００８７】
前記の駆動装置の作用によって具現される第２サブフィールドＳＦn+1では、各放電セルで、第１電源から出力されるリセット開始電圧ＶSの印加によって０.４［Ｃｄ／ｍ２］のリセット光が必ず発生し、０.４［Ｃｄ／ｍ２］のアドレス光が選択的に発生し、前記アドレス光が発生した場合に０.４Ｋ×２ｍ−１［Ｃｄ／ｍ２］の維持光が発生する。
【００８８】
それにより、本発明に係るＰＤＰ駆動装置では、リセット期間ＰＲでリセット開始電圧を選択的に変更することでリセット光を選択的に決定できるため、アドレス光及び維持光との組合せによって階調表現力が８倍ほど更に拡張されうる。
【００８９】
以上、図面及び明細書で最良の実施形態が開示された。ここでは特定の用語が使用されたが、それは単に、本発明を説明するための目的で使用されたものであり、意味限定や特許請求の範囲に記載された本発明の範囲を制限するために使用されたものではない。したがって、当業者ならば、これから多様な変形及び均等な他の実施形態が可能であるということが理解できる。したがって、本発明の真の技術的保護範囲は、特許請求の範囲の技術的思想によって決まらねばならない。
【産業上の利用可能性】
【００９０】
本発明は、ＰＤＰの駆動方法に関連した技術分野に好適に適用される。
【図面の簡単な説明】
【００９１】
【図１】ＰＤＰの電極配置を簡略に示す平面図である。
【図２】ＰＤＰのＹ電極ラインについての通常的なアドレス・ディスプレイ分離駆動方法を示すタイミング図である。
【図３】ＰＤＰの駆動信号の一例を説明するためのタイミング図である。
【図４】ＰＤＰを示す斜視図である。
【図５】ＰＤＰの一般的な駆動装置を示すブロック図である。
【図６】本発明の一実施形態に係るＰＤＰの駆動信号を説明するためのタイミング図である。
【図７】第１サブフィールドＳＦnでリセット開始電圧ＶSC-Hから上昇ランプパルスが印加され、リセット開始電圧ＶSC-Hから下降ランプパルスが印加されることを示す波形図である。
【図８】第２サブフィールドＳＦn+1でリセット開始電圧ＶSから上昇ランプパルスが印加され、リセット開始電圧ＶSから下降ランプパルスが印加されることを示す波形図である。
【図９】本発明に係るＰＤＰの駆動方法が適用されうる駆動装置の一実施形態を示す回路図である。
【符号の説明】
【００９２】
１  ＰＤＰ（プラズマディスプレイパネル）
２００  映像処理部
２０２  論理制御部
２０４  Ｙ駆動部
２０６  アドレス駆動部
２０８  Ｘ駆動部
【図１】
2006047994.tif 000003
【図２】
2006047994.tif 000004
【図３】
2006047994.tif 000005
【図４】
2006047994.tif 000006
【図５】
2006047994.tif 000007
【図６】
2006047994.tif 000008
【図７】
2006047994.tif 000009
【図８】
2006047994.tif 000010
【図９】
2006047994.tif 000011